(57)【特許請求の範囲】
【請求項１】
複数箇所に分散して配置される複数のバーナと、前記複数のバーナの夫々に対して点火及び消火を指令し、且つ、前記複数のバーナの夫々についての目標火力を設定する手動操作式の複数の加熱状態設定手段と、
前記複数のバーナのうちの自動調理を行うものとして定められた自動調理用のバーナに対して自動調理情報を設定する手動操作式の自動調理設定手段と、
前記複数の加熱状態設定手段の設定情報、及び、前記自動調理設定手段の設定情報に基づいて、前記複数のバーナの燃焼を制御する運転制御手段とが設けられたコンロであって、
前記複数のバーナのうちの特定箇所に位置する特定位置バーナに対する被加熱物の存否を検出する被加熱物検出手段が設けられ、
前記運転制御手段が、前記特定位置バーナに対して装備された前記被加熱物検出手段の検出状態が変化すると、前記複数のバーナのうちの、前記特定位置バーナに対して特定関係位置に位置する特定関係バーナの火力を増加側に変化させることを設定制限条件に制限する火力増加制限処理を、設定解除条件が満たされるまで実行するように構成され、
前記設定制限条件が、火力を増加させることを事前に報知した後、前記特定関係バーナの火力を漸増させる条件であるコンロ。
【請求項２】
複数箇所に分散して配置される複数のバーナと、前記複数のバーナの夫々に対して点火及び消火を指令し、且つ、前記複数のバーナの夫々についての目標火力を設定する手動操作式の複数の加熱状態設定手段と、
前記複数のバーナのうちの自動調理を行うものとして定められた自動調理用のバーナに対して自動調理情報を設定する手動操作式の自動調理設定手段と、
前記複数の加熱状態設定手段の設定情報、及び、前記自動調理設定手段の設定情報に基づいて、前記複数のバーナの燃焼を制御する運転制御手段とが設けられたコンロであって、
前記複数のバーナのうちの特定箇所に位置する特定位置バーナに対する被加熱物の存否を検出する被加熱物検出手段が設けられ、
前記運転制御手段が、前記特定位置バーナに対して装備された前記被加熱物検出手段の検出状態が変化すると、前記複数のバーナのうちの、前記特定位置バーナに対して特定関係位置に位置する特定関係バーナの火力を増加側に変化させることを設定制限条件に制限する火力増加制限処理を、設定解除条件が満たされるまで実行するように構成され、
前記運転制御手段が、前記特定関係バーナが前記自動調理用のバーナである場合において、前記自動調理設定手段の設定情報に基づいて火力を増加させることについて、前記火力増加制限処理を実行し、且つ、前記加熱状態設定手段の設定情報に基づいて火力を増加させることについては、前記火力増加制限処理を実行しないように構成されているコンロ。
【請求項３】
前記設定制限条件が、前記特定関係バーナの火力を増加させることを禁止する条件である請求項２記載のコンロ。
【請求項４】
前記設定制限条件が、前記特定関係バーナの火力を設定許容火力以上に増加させない条件である請求項２記載のコンロ。
【請求項５】
前記設定解除条件が、前記特定位置バーナに対して装備された前記被加熱物検出手段の検出状態が変化してから、設定制限時間が経過すると解除する条件である請求項１〜４のいずれか１項に記載のコンロ。
【請求項６】
前記設定解除条件が、前記特定関係バーナに対する前記加熱状態設定手段及び前記自動調理設定手段のいずれかが操作されると解除する条件である請求項１〜４のいずれか１項に記載のコンロ。
【請求項７】
複数箇所に分散して配置される複数のバーナと、前記複数のバーナの夫々に対して点火及び消火を指令し、且つ、前記複数のバーナの夫々についての目標火力を設定する手動操作式の複数の加熱状態設定手段と、
前記複数のバーナのうちの自動調理を行うものとして定められた自動調理用のバーナに対して自動調理情報を設定する手動操作式の自動調理設定手段と、
前記複数の加熱状態設定手段の設定情報、及び、前記自動調理設定手段の設定情報に基づいて、前記複数のバーナの燃焼を制御する運転制御手段とが設けられたコンロであって、
前記複数のバーナのうちの特定箇所に位置する特定位置バーナに対する被加熱物の存否を検出する被加熱物検出手段が設けられ、
前記運転制御手段が、前記特定位置バーナに対して装備された前記被加熱物検出手段の検出状態が変化すると、前記複数のバーナのうちの、前記特定位置バーナに対して特定関係位置に位置する特定関係バーナの火力を増加側に変化させることを設定制限条件に制限する火力増加制限処理を、設定解除条件が満たされるまで実行するように構成され、
前記設定解除条件が、前記特定位置バーナに対する前記加熱状態設定手段が操作されると解除する条件であるコンロ。
【請求項８】
前記複数のバーナが、手前側と奥側とに並ぶ状態で設けられ、
前記特定位置バーナが、前記複数のバーナのうちの奥側のバーナであり、前記特定関係バーナが、前記複数のバーナのうちの手前側のバーナである請求項１〜７のいずれか１項に記載のコンロ。
【請求項９】
複数箇所に分散して配置される複数のバーナと、前記複数のバーナの夫々に対して点火及び消火を指令し、且つ、前記複数のバーナの夫々についての目標火力を設定する手動操作式の複数の加熱状態設定手段と、
前記複数のバーナのうちの自動調理を行うものとして定められた自動調理用のバーナに対して自動調理情報を設定する手動操作式の自動調理設定手段と、
前記複数の加熱状態設定手段の設定情報、及び、前記自動調理設定手段の設定情報に基づいて、前記複数のバーナの燃焼を制御する運転制御手段とが設けられたコンロであって、
前記複数のバーナのうちの特定箇所に位置する特定位置バーナに対する被加熱物の存否を検出する被加熱物検出手段が設けられ、
前記運転制御手段が、前記特定位置バーナに対して装備された前記被加熱物検出手段の検出状態が変化すると、前記複数のバーナのうちの、前記特定位置バーナに対して特定関係位置に位置する特定関係バーナの火力を増加側に変化させることを設定制限条件に制限する火力増加制限処理を、設定解除条件が満たされるまで実行するように構成され、
前記運転制御手段が、前記特定位置バーナに対して装備された前記被加熱物検出手段の検出状態が変化したときに、前記特定関係バーナの火力が設定許容火力よりも大きいときには、その火力を設定小火力に減少させる火力減少処理を実行するように構成されているコンロ。
【発明の詳細な説明】
【技術分野】
【０００１】
本発明は、複数箇所に分散して配置される複数のバーナと、前記複数のバーナの夫々に対して点火及び消火を指令し、且つ、前記複数のバーナの夫々についての目標火力を設定する手動操作式の複数の加熱状態設定手段と、前記複数のバーナのうちの自動調理を行うものとして定められた自動調理用のバーナに対して自動調理情報を設定する手動操作式の自動調理設定手段と、前記複数の加熱状態設定手段の設定情報、及び、前記自動調理設定手段の設定情報に基づいて、前記複数のバーナの燃焼を制御する運転制御手段とが設けられたコンロに関する。
【背景技術】
【０００２】
かかるコンロは、加熱状態設定手段にて設定された目標火力にて複数のバーナを燃焼させて調理を行うことや、自動調理設定手段にて設定された自動調理情報に基づいて、複数のバーナのうちの自動調理を行うものとして定められた自動調理用のバーナを燃焼させて調理を行うことができるものである。
【０００３】
このようなコンロにおいて、従来では、自動調理設定手段の設定情報に基づいて自動調理を行っているときに、自動調理用のバーナの火力を増加させるタイミングになると、単に、火力を増加させることが行われ、また、加熱状態設定手段にて設定された目標火力にて燃焼させているときに、現在の火力より大きな目標火力が加熱状態設定手段にて設定されると、単に、火力を増加させることが行われていた（例えば、特許文献１参照）。
【０００４】
ちなみに、特許文献１には、自動調理の一例として、揚げもの運転が記載されている。
この揚げもの運転は、被加熱物の温度が設定目標温度よりも低いときには、自動調理用のバーナを大火力にて燃焼させ、そして、被加熱物の温度が設定目標温度よりも設定温度分だけ高くなると、自動調理用のバーナを小火力にて燃焼させるようにし、その後、被加熱物の温度が設定目標温度よりも設定温度分だけ低くなると、自動調理用のバーナを再び大火力にて燃焼させるように構成されて、大火力と小火力とを繰り返すことによって、被加熱物の温度を目標温度に近い温度に維持することになる。
そして、このような揚げもの運転を行っているときに、火力を小火力から大火力に変更するタイミングになると、従来では、単に、火力が小火力から大火力に変更されるようになっていた。
【先行技術文献】
【特許文献】
【０００５】
【特許文献１】特開２００９−２７０７２４号公報
【発明の概要】
【発明が解決しようとする課題】
【０００６】
コンロを使用する際に、例えば、自動調理用のバーナを燃焼させて自動調理を行っている状態において、他のバーナに対して被加熱物を載置することや被加熱物をおろす作業を行うことがある等、複数のバーナの１つを燃焼させて調理を行いながら、他のバーナに対して被加熱物を載置することや被加熱物をおろす作業を行うことがある。
【０００７】
そして、このように複数のバーナの１つを燃焼させて調理を行いながら、他のバーナに対して被加熱物を載置することや被加熱物をおろす作業を行っているときに、燃焼して調理を行っているバーナの火力が増加すると、被加熱物を載置することや被加熱物をおろす作業を行っている使用者にとっては、そのバーナの火力の増加は意図しないものであるため、使用者が火力の増加を気付き難いものであり、その結果、例えば、火力が増加したバーナの火炎のために、使用者の衣服の袖口が着火する等、使用者の衣服が着火する危険があり、その危険を回避して安全性の向上を図ることが望まれるものであった。
【０００８】
特に、複数のバーナを、手前側と奥側とに分散して設ける場合において、手前側のバーナを燃焼させて調理を行いながら、奥側のバーナに対して被加熱物を載置することや被加熱物をおろす作業を行っているときに、手前側のバーナの火力が増加する場合には、上記危険が顕著となる虞がある。
【０００９】
ちなみに、燃焼して調理を行っているバーナの火力が増加する原因としては、そのバーナが自動調理バーナである場合には、自動調理のために火力が増加されることを挙げることができる。
【００１０】
本発明は、上記実情に鑑みて為されたものであって、その目的は、安全性の向上を図ることができるコンロを提供する点にある。
【課題を解決するための手段】
【００１１】
本発明のコンロは、複数箇所に分散して配置される複数のバーナと、前記複数のバーナの夫々に対して点火及び消火を指令し、且つ、前記複数のバーナの夫々についての目標火力を設定する手動操作式の複数の加熱状態設定手段と、前記複数のバーナのうちの自動調理を行うものとして定められた自動調理用のバーナに対して自動調理情報を設定する手動操作式の自動調理設定手段と、前記複数の加熱状態設定手段の設定情報、及び、前記自動調理設定手段の設定情報に基づいて、前記複数のバーナの燃焼を制御する運転制御手段とが設けられたものであって、その第１特徴構成は、
前記複数のバーナのうちの特定箇所に位置する特定位置バーナに対する被加熱物の存否を検出する被加熱物検出手段が設けられ、前記運転制御手段が、前記特定位置バーナに対して装備された前記被加熱物検出手段の検出状態が変化すると、前記複数のバーナのうちの、前記特定位置バーナに対して特定関係位置に位置する特定関係バーナの火力を増加側に変化させることを設定制限条件に制限する火力増加制限処理を、設定解除条件が満たされるまで実行するように構成され、
前記設定制限条件が、火力を増加させることを事前に報知した後、前記特定関係バーナの火力を漸増させる条件である点を特徴とする。
【００１２】
すなわち、運転制御手段が、複数のバーナのうちの特定箇所に位置する特定位置バーナに対する被加熱物の存否を検出する被加熱物検出手段の検出状態が変化すると、複数のバーナのうちの、特定位置バーナに対して特定関係位置に位置する特定関係バーナの火力を増加側に変化させることを設定制限条件に制限する火力増加制限処理を、設定解除条件が満たされるまで実行することになる。
【００１３】
例えば、複数のバーナが手前側と奥側とに配置される場合において、奥側のバーナを特定位置バーナとし、手前側のバーナを特定関係バーナとすると、手前側のバーナを燃焼させて調理を行っているときに、奥側のバーナに対して被加熱物を載置するあるいは被加熱物をおろす作業が行われて、奥側のバーナに対する被加熱物検出手段の検出状態が変化すると、手前側のバーナの火力を増加側に変化させることが制限されて、手前側のバーナの火力の増加によって、使用者の衣服が着火する危険が回避されることになる。
つまり、特定関係のバーナを燃焼させて調理を行っているときに、特定位置バーナに対して被加熱物を載置するあるいは被加熱物をおろす作業が行われて、特定位置バーナに対する被加熱物検出手段の検出状態が変化すると、特定関係バーナの火力を増加側に変化させることが制限されるため、特定関係バーナの火力の増加によって、使用者の衣服が着火する危険が回避されることになる。
【００１４】
そして、火力増加制限処理は設定解除条件が満たされるまで実行されることになるが、設定解除条件として、特定位置バーナに対して装備された被加熱物検出手段の検出状態が変化してから、特定位置バーナに対して被加熱物を載置するあるいは被加熱物をおろす作業が終了したのちに、火力増加制限処理を解除する条件として設定しておくことにより、使用者の衣服が着火する危険を回避できるものとなる。
要するに、本発明の第１特徴構成によれば、安全性の向上を図ることができるコンロを提供することができる。
また、本発明の第１特徴構成によれば、設定制限条件が、火力を増加させることを事前に報知した後、特定関係バーナの火力を漸増させる条件に設定されているから、特定関係バーナを燃焼させて調理を行っているときに、特定位置バーナに対して被加熱物を載置するあるいは被加熱物をおろす作業が行われて、特定位置バーナに対して装備された被加熱物検出手段の検出状態が変化すると、火力を増加させることが事前に報知された後、特定関係バーナの火力が漸増される。
このように、設定制限条件を、火力を増加させることを事前に報知した後、特定関係バーナの火力を漸増させる条件に設定するものであるから、火力を増加させることを事前に報知することにより、特定関係バーナの火力が増加されることを、使用者に認識させることや、特定関係バーナの火力を漸増させることにより、特定関係バーナの火力を増加することに気付いた使用者が、その特定関係バーナの火炎から退避するための時間的余裕を与えることができるものとなるため、特定関係バーナの火炎により使用者の衣服が着火する危険を回避できるものとなる。
しかも、漸増ではあるものの、特定関係バーナの火力を増加させるものであるから、特定関係バーナの火力を必要とする火力に極力維持できるものとなって、特定関係バーナの燃焼による調理を良好に行うことができるものとなる。
要するに、本発明の第１特徴構成によれば、上記作用効果に加えて、特定関係バーナによる調理を良好に行いながら、安全性の向上を図ることができるコンロを提供できる。
【００１５】
本発明のコンロは、複数箇所に分散して配置される複数のバーナと、前記複数のバーナの夫々に対して点火及び消火を指令し、且つ、前記複数のバーナの夫々についての目標火力を設定する手動操作式の複数の加熱状態設定手段と、前記複数のバーナのうちの自動調理を行うものとして定められた自動調理用のバーナに対して自動調理情報を設定する手動操作式の自動調理設定手段と、前記複数の加熱状態設定手段の設定情報、及び、前記自動調理設定手段の設定情報に基づいて、前記複数のバーナの燃焼を制御する運転制御手段とが設けられたものであって、その第２特徴構成は、
前記複数のバーナのうちの特定箇所に位置する特定位置バーナに対する被加熱物の存否を検出する被加熱物検出手段が設けられ、
前記運転制御手段が、前記特定位置バーナに対して装備された前記被加熱物検出手段の検出状態が変化すると、前記複数のバーナのうちの、前記特定位置バーナに対して特定関係位置に位置する特定関係バーナの火力を増加側に変化させることを設定制限条件に制限する火力増加制限処理を、設定解除条件が満たされるまで実行するように構成され、
前記運転制御手段が、前記特定関係バーナが前記自動調理用のバーナである場合において、前記自動調理設定手段の設定情報に基づいて火力を増加させることについて、前記火力増加制限処理を実行し、且つ、前記加熱状態設定手段の設定情報に基づいて火力を増加させることについては、前記火力増加制限処理を実行しないように構成されている点を特徴とする。
すなわち、運転制御手段が、複数のバーナのうちの特定箇所に位置する特定位置バーナに対する被加熱物の存否を検出する被加熱物検出手段の検出状態が変化すると、複数のバーナのうちの、特定位置バーナに対して特定関係位置に位置する特定関係バーナの火力を増加側に変化させることを設定制限条件に制限する火力増加制限処理を、設定解除条件が満たされるまで実行することになる。
例えば、複数のバーナが手前側と奥側とに配置される場合において、奥側のバーナを特定位置バーナとし、手前側のバーナを特定関係バーナとすると、手前側のバーナを燃焼させて調理を行っているときに、奥側のバーナに対して被加熱物を載置するあるいは被加熱物をおろす作業が行われて、奥側のバーナに対する被加熱物検出手段の検出状態が変化すると、手前側のバーナの火力を増加側に変化させることが制限されて、手前側のバーナの火力の増加によって、使用者の衣服が着火する危険が回避されることになる。
つまり、特定関係のバーナを燃焼させて調理を行っているときに、特定位置バーナに対して被加熱物を載置するあるいは被加熱物をおろす作業が行われて、特定位置バーナに対する被加熱物検出手段の検出状態が変化すると、特定関係バーナの火力を増加側に変化させることが制限されるため、特定関係バーナの火力の増加によって、使用者の衣服が着火する危険が回避されることになる。
そして、火力増加制限処理は設定解除条件が満たされるまで実行されることになるが、設定解除条件として、特定位置バーナに対して装備された被加熱物検出手段の検出状態が変化してから、特定位置バーナに対して被加熱物を載置するあるいは被加熱物をおろす作業が終了したのちに、火力増加制限処理を解除する条件として設定しておくことにより、使用者の衣服が着火する危険を回避できるものとなる。
要するに、本発明の第２特徴構成によれば、安全性の向上を図ることができるコンロを提供することができる。
また、本発明の第２特徴構成によれば、特定関係バーナが自動調理用のバーナである場合において、自動調理設定手段の設定情報に基づいて火力を増加させることについては火力増加制限処理が実行されるものの、加熱状態設定手段の設定情報に基づいて火力を増加させることについては、火力増加制限処理が実行されないものとなる。
つまり、特定関係バーナを燃焼させて調理を行いながら、特定位置バーナに対して被加熱物を載置するあるいは被加熱物をおろす作業を行うときに、特定関係バーナが自動調理のために燃焼しているときには、自動調理のために特定関係バーナの火力が増加されることはあるものの、特定関係バーナが加熱状態設定手段にて設定情報に基づいて燃焼しているときには、特定関係バーナの火力が増加することは起こり難いものである点に鑑みて、特定関係バーナの火力が自動調理のために増加することを適切に制限するのである。
要するに、本発明の第２特徴構成によれば、上記作用効果に加えて、特定関係バーナの火力が自動調理のために増加することを適切に制限できるコンロを提供できるものとなった。
【００１６】
本発明の第３特徴構成は、上記第２特徴構成に加えて、前記設定制限条件が、前記特定関係バーナの火力を増加させることを禁止する条件である点を特徴とする。
【００１７】
すなわち、設定制限条件が、特定関係バーナの火力を増加させることを禁止する条件に設定されているから、特定関係バーナを燃焼させて調理を行っているときに、特定位置バーナに対して被加熱物を載置するあるいは被加熱物をおろす作業が行われて、特定位置バーナに対して装備された被加熱物検出手段の検出状態が変化すると、設定解除条件が満たされるまでは特定関係バーナの火力が増加されないものとなる。
【００１８】
このように、設定制限条件を、特定関係バーナの火力を増加させることを禁止する条件に設定して、特定関係バーナの火力が増加されないものとするから、特定関係バーナの火炎により使用者の衣服が着火する危険を的確に回避できるものとなる。
【００１９】
要するに、本発明の第３特徴構成によれば、上記第２特徴構成による作用効果に加えて、特定関係バーナの火炎により使用者の衣服が着火する危険を的確に回避できるコンロを提供することができる。
【００２５】
本発明の第４特徴構成は、上記第２特徴構成に加えて、前記設定制限条件が、前記特定関係バーナの火力を設定許容火力以上に増加させない条件である点を特徴とする。
【００２６】
すなわち、設定制限条件が、特定関係バーナの火力を設定許容火力以上に増加させない条件に設定されているから、特定関係のバーナを燃焼させて調理を行っているときに、特定位置バーナに対して被加熱物を載置するあるいは被加熱物をおろす作業が行われて、特定位置バーナに対して装備された被加熱物検出手段の検出状態が変化すると、特定関係バーナの火力が設定許容火力以上には増加されないものとなる。
【００２７】
このように、設定制限条件を、特定関係バーナの火力を設定許容火力以上に増加させない条件に設定して、特定関係バーナの火力が設定許容火力以上に増加されないものとするから、特定関係バーナの火力が設定許容火力未満までは増加するものとなるため、特定関係バーナの燃焼による調理を極力良好に行うことができながらも、特定関係バーナの火力が設定許容火力以上に増加されないため、特定関係バーナの火炎により使用者の衣服が着火する危険を回避できるものとなるのである。
【００２８】
要するに、本発明の第４特徴構成によれば、上記第２特徴構成による作用効果に加えて、特定関係バーナによる調理を極力良好に行いながら、安全性の向上を図ることができるコンロを提供できる。
【００３３】
本発明の第５特徴構成は、上記第１〜第４のいずれかの特徴構成に加えて、前記設定解除条件が、前記特定位置バーナに対して装備された前記被加熱物検出手段の検出状態が変化してから、設定制限時間が経過すると解除する条件である点を特徴とする。
【００３４】
すなわち、設定解除条件が、特定位置バーナに対して装備された被加熱物検出手段の検出状態が変化してから、設定制限時間が経過すると解除する条件に設定されているから、特定位置バーナに対して装備された前記被加熱物検出手段の検出状態が変化してから、設定制限時間が経過すると火力増加制限処理が終了されるものとなる。
【００３５】
つまり、設定制限時間を、使用者が特定位置バーナに対して被加熱物を載置するあるいは被加熱物をおろすことを終了するまでに要する時間を見込んで設定することにより、特定関係バーナの火炎により使用者の衣服が着火する危険を適切に回避しながらも、危険が回避された後においは、特定関係バーナの火力を必要な火力に増加させることができるものとなる。
【００３６】
要するに、本発明の第５特徴構成によれば、上記第１〜第４のいずれかの特徴構成による作用効果に加えて、安全性の向上を図りながらも、特定関係バーナの火力を必要な火力に増加させることができるコンロを提供できる。
【００３７】
本発明の第６特徴構成は、上記第１〜第４のいずれかの特徴構成に加えて、前記設定解除条件が、前記特定関係バーナに対する前記加熱状態設定手段及び前記自動調理設定手段のいずれかが操作されると解除する条件である点を特徴とする。
【００３８】
すなわち、設定解除条件が、特定関係バーナに対する加熱状態設定手段及び自動調理設定手段のいずれかが操作されると解除する条件に設定されているから、特定関係バーナに対する加熱状態設定手段及び自動調理設定手段のいずれかが操作されると、設定解除条件が満たされたとして火力増加制限処理が終了されるものとなる。
【００３９】
つまり、特定関係バーナに対する加熱状態設定手段及び自動調理設定手段のいずれかが操作される状態とは、使用者が既に特定位置バーナに対して被加熱物を載置するあるいは被加熱物をおろす作業を終了して、特定関係バーナに対する加熱状態設定手段又は自動調理設定手段を操作する状態であるから、特定関係バーナに対する加熱状態設定手段及び自動調理設定手段のいずれかが操作されると、設定解除条件が満たされたとして火力増加制限処理の実行を終了しても、安全性は確保されるものとなる。
【００４０】
このように、使用者の操作状況を把握しながら、火力増加制限処理の実行を終了するため、使用者が特定位置バーナに対して被加熱物を載置するあるいは被加熱物をおろす作業を終了したのちにおいて、火力増加制限処理の実行を的確に終了できる。
【００４１】
要するに、本発明の第６特徴構成によれば、上記第１〜第４のいずれかの特徴構成による作用効果に加えて、使用者が特定位置バーナに対して被加熱物を載置するあるいは被加熱物をおろす作業を終了したのちにおいて、火力増加制限処理の実行を的確に終了できるコンロを提供できる。
【００４２】
本発明のコンロは、複数箇所に分散して配置される複数のバーナと、前記複数のバーナの夫々に対して点火及び消火を指令し、且つ、前記複数のバーナの夫々についての目標火力を設定する手動操作式の複数の加熱状態設定手段と、前記複数のバーナのうちの自動調理を行うものとして定められた自動調理用のバーナに対して自動調理情報を設定する手動操作式の自動調理設定手段と、前記複数の加熱状態設定手段の設定情報、及び、前記自動調理設定手段の設定情報に基づいて、前記複数のバーナの燃焼を制御する運転制御手段とが設けられたものであって、その第７特徴構成は、
前記複数のバーナのうちの特定箇所に位置する特定位置バーナに対する被加熱物の存否を検出する被加熱物検出手段が設けられ、
前記運転制御手段が、前記特定位置バーナに対して装備された前記被加熱物検出手段の検出状態が変化すると、前記複数のバーナのうちの、前記特定位置バーナに対して特定関係位置に位置する特定関係バーナの火力を増加側に変化させることを設定制限条件に制限する火力増加制限処理を、設定解除条件が満たされるまで実行するように構成され、
前記設定解除条件が、前記特定位置バーナに対する前記加熱状態設定手段が操作されると解除する条件である点を特徴とする。
【００４３】
すなわち、運転制御手段が、複数のバーナのうちの特定箇所に位置する特定位置バーナに対する被加熱物の存否を検出する被加熱物検出手段の検出状態が変化すると、複数のバーナのうちの、特定位置バーナに対して特定関係位置に位置する特定関係バーナの火力を増加側に変化させることを設定制限条件に制限する火力増加制限処理を、設定解除条件が満たされるまで実行することになる。
例えば、複数のバーナが手前側と奥側とに配置される場合において、奥側のバーナを特定位置バーナとし、手前側のバーナを特定関係バーナとすると、手前側のバーナを燃焼させて調理を行っているときに、奥側のバーナに対して被加熱物を載置するあるいは被加熱物をおろす作業が行われて、奥側のバーナに対する被加熱物検出手段の検出状態が変化すると、手前側のバーナの火力を増加側に変化させることが制限されて、手前側のバーナの火力の増加によって、使用者の衣服が着火する危険が回避されることになる。
つまり、特定関係のバーナを燃焼させて調理を行っているときに、特定位置バーナに対して被加熱物を載置するあるいは被加熱物をおろす作業が行われて、特定位置バーナに対する被加熱物検出手段の検出状態が変化すると、特定関係バーナの火力を増加側に変化させることが制限されるため、特定関係バーナの火力の増加によって、使用者の衣服が着火する危険が回避されることになる。
そして、火力増加制限処理は設定解除条件が満たされるまで実行されることになるが、設定解除条件として、特定位置バーナに対して装備された被加熱物検出手段の検出状態が変化してから、特定位置バーナに対して被加熱物を載置するあるいは被加熱物をおろす作業が終了したのちに、火力増加制限処理を解除する条件として設定しておくことにより、使用者の衣服が着火する危険を回避できるものとなる。
要するに、本発明の第７特徴構成によれば、安全性の向上を図ることができるコンロを提供することができる。
また、本発明の第７特徴構成によれば、設定解除条件が、特定位置バーナに対する加熱状態設定手段が操作されると解除する条件に設定されているから、特定位置バーナに対する加熱状態設定手段が操作されると、設定解除条件が満たされたとして火力増加制限処理が終了される。
【００４４】
つまり、特定位置バーナに対する加熱状態設定手段が操作される状態とは、使用者が既に特定位置バーナに対して被加熱物を載置するあるいは被加熱物をおろす作業を終了して、特定位置バーナに対する加熱状態設定手段を操作する状態であるから、特定位置バーナに対する加熱状態設定手段が操作されると設定解除条件が満たされたとして火力増加制限処理の実行を終了しても、安全性は確保されるものとなる。
【００４５】
このように、使用者の操作状況を把握しながら、火力増加制限処理の実行を終了できるため、使用者が特定位置バーナに対して被加熱物を載置するあるいは被加熱物をおろす作業を終了したのちにおいて、火力増加制限処理の実行を的確に終了できる。
【００４６】
要するに、本発明の第７特徴構成によれば、上記作用効果に加えて、使用者が特定位置バーナに対して被加熱物を載置するあるいは被加熱物をおろす作業を終了したのちにおいて、火力増加制限処理の実行を的確に終了できるコンロを提供できる。
【００４７】
本発明の第８特徴構成は、上記第１〜第７のいずれかの特徴構成に加えて、前記複数のバーナが、手前側と奥側とに並ぶ状態で設けられ、前記特定位置バーナが、前記複数のバーナのうちの奥側のバーナであり、前記特定関係バーナが、前記複数のバーナのうちの手前側のバーナである点を特徴とする。
【００４８】
すなわち、複数のバーナが、手前側と奥側とに並ぶ状態で設けられ、特定位置バーナが、複数のバーナのうちの奥側のバーナであり、特定関係バーナが、複数のバーナのうちの手前側のバーナであるから、奥側の特定位置バーナに対して被加熱物を載置するあるいは被加熱物をおろす作業が行われて、奥側のバーナに対する被加熱物検出手段の検出状態が変化すると、手前側のバーナの火力を増加側に変化させることが制限されて、手前側のバーナの火力の増加によって、使用者の衣服が着火する危険が回避されることになる。
【００４９】
つまり、奥側に位置する特定位置バーナに対して被加熱物を載置するあるいは被加熱物をおろす作業を行う際は、使用者の衣服が手前側の特定関係バーナの上方に位置する可能性が高いため、手前側の特定関係バーナの火力が増加側に変化することを制限することによって、使用者の衣服が着火する危険を的確に回避できる。
【００５０】
要するに、本発明の第８特徴構成によれば、上記第１〜第７のいずれかの特徴構成による作用効果に加えて、使用者の衣服が着火する危険を的確に回避できるコンロを提供することができるものとなった。
【００５１】
本発明のコンロは、複数箇所に分散して配置される複数のバーナと、前記複数のバーナの夫々に対して点火及び消火を指令し、且つ、前記複数のバーナの夫々についての目標火力を設定する手動操作式の複数の加熱状態設定手段と、前記複数のバーナのうちの自動調理を行うものとして定められた自動調理用のバーナに対して自動調理情報を設定する手動操作式の自動調理設定手段と、前記複数の加熱状態設定手段の設定情報、及び、前記自動調理設定手段の設定情報に基づいて、前記複数のバーナの燃焼を制御する運転制御手段とが設けられたものであって、その第９特徴構成は、
前記複数のバーナのうちの特定箇所に位置する特定位置バーナに対する被加熱物の存否を検出する被加熱物検出手段が設けられ、
前記運転制御手段が、前記特定位置バーナに対して装備された前記被加熱物検出手段の検出状態が変化すると、前記複数のバーナのうちの、前記特定位置バーナに対して特定関係位置に位置する特定関係バーナの火力を増加側に変化させることを設定制限条件に制限する火力増加制限処理を、設定解除条件が満たされるまで実行するように構成され、
前記運転制御手段が、前記特定位置バーナに対して装備された前記被加熱物検出手段の検出状態が変化したときに、前記特定関係バーナの火力が設定許容火力よりも大きいときには、その火力を設定小火力に減少させる火力減少処理を実行するように構成されている点を特徴とする。
【００５２】
すなわち、運転制御手段が、複数のバーナのうちの特定箇所に位置する特定位置バーナに対する被加熱物の存否を検出する被加熱物検出手段の検出状態が変化すると、複数のバーナのうちの、特定位置バーナに対して特定関係位置に位置する特定関係バーナの火力を増加側に変化させることを設定制限条件に制限する火力増加制限処理を、設定解除条件が満たされるまで実行することになる。
例えば、複数のバーナが手前側と奥側とに配置される場合において、奥側のバーナを特定位置バーナとし、手前側のバーナを特定関係バーナとすると、手前側のバーナを燃焼させて調理を行っているときに、奥側のバーナに対して被加熱物を載置するあるいは被加熱物をおろす作業が行われて、奥側のバーナに対する被加熱物検出手段の検出状態が変化すると、手前側のバーナの火力を増加側に変化させることが制限されて、手前側のバーナの火力の増加によって、使用者の衣服が着火する危険が回避されることになる。
つまり、特定関係のバーナを燃焼させて調理を行っているときに、特定位置バーナに対して被加熱物を載置するあるいは被加熱物をおろす作業が行われて、特定位置バーナに対する被加熱物検出手段の検出状態が変化すると、特定関係バーナの火力を増加側に変化させることが制限されるため、特定関係バーナの火力の増加によって、使用者の衣服が着火する危険が回避されることになる。
そして、火力増加制限処理は設定解除条件が満たされるまで実行されることになるが、設定解除条件として、特定位置バーナに対して装備された被加熱物検出手段の検出状態が変化してから、特定位置バーナに対して被加熱物を載置するあるいは被加熱物をおろす作業が終了したのちに、火力増加制限処理を解除する条件として設定しておくことにより、使用者の衣服が着火する危険を回避できるものとなる。
要するに、本発明の第９特徴構成によれば、安全性の向上を図ることができるコンロを提供することができる。
また、本発明の第９特徴構成によれば、特定位置バーナに対して装備された被加熱物検出手段の検出状態が変化したときに、特定関係バーナの火力が設定許容火力よりも大きいときには、その火力を設定小火力に減少させる火力減少処理を実行することになる。
つまり、特定位置バーナに対して装備された被加熱物検出手段の検出状態が変化したときに、特定関係バーナの火力が設定許容火力よりも大きい場合には、バーナの火炎が使用者の衣服が着火する虞があるため、その火力を設定小火力に減少させる火力減少処理を実行することによって、使用者の衣服が着火する危険を的確に回避できる。
【００５３】
要するに、本発明の第９特徴構成によれば、上記作用効果に加えて、使用者の衣服が着火する危険を的確に回避できるコンロを提供することができる。
【図面の簡単な説明】
【００５４】
【図１】コンロの斜視図
【図２】ガス燃料の流路構成を示す概略図
【図３】コンロバーナを示す縦断側面図
【図４】制御構成を示すブロック図
【図５】コンロ用設定操作部を示す正面図
【図６】制御動作示すフローチャート
【図７】制御動作示すフローチャート
【発明を実施するための形態】
【００５５】
〔実施形態〕
以下、本発明に係るコンロの実施形態を図面に基づいて説明する。
図１に示すように、本実施形態に係るコンロは、コンロ本体の上面部に分散して配置される３つのバーナ１Ａ、１Ｂ、１Ｃ、及び、グリル部Ｇに装備のグリルバーナ２（図２参照）を備える状態に構成され、そして、キッチンカウンターに組み込まれるビルトインタイプに構成されている。
【００５６】
３つのバーナ１Ａ〜１Ｃは、左側に配設される高火力バーナ１Ａ、右側に配設される標準バーナ１Ｂ、及び、横幅方向の中央の奥側箇所に配設される小火力バーナ１Ｃから構成されている。つまり、複数のバーナ１Ａ、１Ｂ、１Ｃが、手前側と奥側とに並ぶ状態で設けられている
【００５７】
ガスコンロの上面は、ガラス製のトッププレート３にて覆われ、ガスコンロの上面の後部側には、グリル部Ｇの燃焼排ガスを排気するためのグリル排気口４が形成されている。
また、トッププレート３の上部には、３つのバーナ１Ａ〜１Ｃの夫々にて加熱される鍋等の調理容器を載置するための五徳５が設けられている。
【００５８】
ガスコンロの前面部の右側箇所には、３つのバーナ１Ａ〜１Ｃに対する操作部Ｊが設けられ、その操作部Ｊには、左側から右側に向けて、高火力バーナ１Ａに対する高火力用操作具６Ａ、小火力バーナ１Ｃに対する小火力用操作具６Ｃ、及び、標準バーナ１Ｂに対する標準用操作具６Ｂが配設されている。
尚、以下の記載において、高火力用操作具６Ａ、小火力用操作具６Ｃ、及び、標準用操作具６Ｂを区別して記載する必要がないときには、操作具６Ａ〜６Ｃと記載する。
【００５９】
各操作具６Ａ〜６Ｃは、対応するバーナ１Ａ〜１Ｃに対して点火及び消火を指令し且つ対応するバーナ１Ａ〜１Ｃの夫々についての目標火力を設定するために使用されるものであって、具体的には、前方側に押し込み操作されるごとに、点火指令と消火指令とを交互に指令し、また、前後方向軸心周りで正逆に回動操作されることにより、目標火力を５段階に変更設定するように構成されている。なお、以下において、このように各操作具６Ａ〜６Ｃにて目標火力を変更設定して加熱を行う運転を手動運転処理と称する。
【００６０】
尚、本実施形態においては、上記操作具６Ａ〜６Ｃが、複数のバーナ１Ａ〜１Ｃの夫々に対して点火及び消火を指令し、且つ、複数のバーナ１Ａ〜１Ｃの夫々についての目標火力を設定する手動操作式の複数の加熱状態設定手段に相当する。
【００６１】
そして、図４に示すように、各操作具６Ａ〜６Ｃの夫々の回動位置を検出する回動位置検出センサ７Ａ、７Ｂ、７Ｃ、及び、各操作具６Ａ〜６Ｃの押し込みを検出する前後位置検出センサ８Ａ、８Ｂ、８Ｃが設けられている。
これらの回動位置検出センサ７Ａ〜７Ｃ及び前後位置検出センサ８Ａ〜８Ｃの検出情報は、運転制御手段としての運転制御部Ｈに入力されるように構成されている。
【００６２】
また、操作部Ｊの下方側箇所には、調理メニュー等の情報を入力するコンロ用設定操作部Ｄが設けられている。
そして、図４に示すように、このコンロ用設定操作部Ｄの設定情報が、運転制御部Ｈに入力されるように構成されている。
【００６３】
運転制御部Ｈは、マイクロコンピュータを主要部として構成されて、各操作具６Ａ〜６Ｃの設定情報、及び、コンロ用設定操作部Ｄの設定情報に基づいて、複数のバーナの燃焼を制御するように構成されるものであり、回動位置検出センサ７Ａ〜７Ｃ及び前後位置検出センサ８Ａ〜８Ｃの検出情報に基づいて、バーナ１Ａ〜１Ｃの夫々についての、消火指令、点火指令、及び、５段階の手動設定火力を判別して、バーナ１Ａ〜１Ｃの燃焼を制御するように構成され、また、コンロ用設定操作部Ｄの設定情報に基づいて、設定された調理メニューを実行すべく、バーナ１Ａ〜１Ｃの燃焼を制御するように構成されており、その詳細は後述する。
【００６４】
コンロ用設定操作部Ｄの上方箇所には、電源スイッチ１１が設けられており、運転制御部Ｈは、電源スイッチ１１が入り操作されたときに、運転制御を実行するための電力が供給されるように構成されている。
【００６５】
コンロの前面の左側箇所、つまり、中央側に位置するグリルＧの左側箇所には、グリルバーナ２に対するグリル用設定操作部Ｅが配設されている。
そして、このグリル用設定操作部Ｅの設定情報に基づいて、運転制御部Ｈが、グリルバーナ２の燃焼を制御されるように構成されているが、本実施形態では、グリルバーナ２の燃焼制御についての詳細な説明は省略する。
【００６６】
図２に示すように、都市ガス等のガス燃料が供給される元ガス供給路１５に、３つのバーナ１Ａ〜１Ｃに対する３つのコンロ用分岐路１６Ａ、１６Ｂ、１６Ｃ、及び、グリルバーナ２に対するグリル用分岐路１７が接続されている。
【００６７】
そして、元ガス供給路１５には、閉じ付勢された電磁式の元ガス弁１８が配設され、３つのコンロ用分岐路１６Ａ〜１６Ｃの夫々には、３つのバーナ１Ａ〜１Ｃに供給するガス燃料の供給量を調節するコンロ用流量調節弁１９Ａ、１９Ｂ、１９Ｃが配設され、さらに、グリル用分岐路１７には、グリルバーナ２に供給するガス燃料の供給量を調節するグリル用流量調節弁２０が配設されている。
【００６８】
コンロ用流量調節弁１９Ａ〜１９Ｃは、コンロ用のステッピングモータ２１Ａ、２１Ｂ、２１Ｃにて操作されるように構成され、同様に、グリル用流量調節弁２０が、グリル用のステッピングモータ２２にて操作されるように構成されている。
【００６９】
図２及び図３に示すように、３つのバーナ１Ａ〜１Ｃ及びグリルバーナ２の夫々に対して、点火用の点火プラグＰ、熱電対等を用いて構成される着火状態検出用の着火センサＦが装備されている。
ちなみに、図３は、３つのバーナ１Ａ〜１Ｃのうちの、標準バーナ１Ｂを代表として例示するものである。
【００７０】
また、３つのバーナ１Ａ〜１Ｃの夫々に対して、鍋等の調理容器の存否を検出し且つその温度を検出する被加熱物検出センサＳが装備されている。
この被加熱物検出センサＳは、上下方向に伸縮自在でかつ上方に復帰付勢された伸縮体Ｓ１を備えて、この伸縮体Ｓ１が被加熱物に押されて下方に移動したことを伸縮検知部Ｓ２にて検出することにより被加熱物の存在を検出するように構成され、また、伸縮体Ｓ１の上端部に設けた温度検知部Ｓ３が、調理容器に接触してその温度を検出するように構成されている。
【００７１】
運転制御部Ｈは、バーナ１Ａ〜１Ｃに対する処理として、点火処理、消火処理、火力の調節を行う加熱量変更処理、火力制限処理、高温強制停止処理、自動運転処理を実行するように構成されている。
また、高火力バーナ１Ａ及び標準バーナ１Ｂは、後述の如く、自動運転処理を行うときに火力が増減調節される自動調理用バーナとして機能するものであり、そして、運転制御部Ｈは、高火力バーナ１Ａ及び標準バーナ１Ｂに対する処理として、火力増加制限処理を実行するように構成されている。
【００７２】
さらに、運転制御部Ｈは、バーナ１Ａ〜１Ｃに対する処理として、バーナ１Ａ〜１Ｃに対して点火が指令されたときに、点火が指令されたバーナ１Ａ〜１Ｃに対応する被加熱物検出センサＳが被加熱物の存在を検出しないときには、点火が指令されてもバーナ１Ａ〜１Ｃを点火しない点火抑制処理、バーナ１Ａ〜１Ｃの燃焼中において、そのバーナ１Ａ〜１Ｃに対応する被加熱物検出センサＳが被加熱物の存在を検出しなくなると、火力を最小火力に調整する強制減少処理、及び、火力減少処理の実行中において、設定時間（例えば、５秒間）が経過するまでに、被加熱物検出センサＳが被加熱物の存在を検出すると、対応するバーナ１Ａ〜１Ｃの火力を元の火力に戻し、且つ、設定時間（例えば、５秒間）が経過しても、被加熱物検出センサＳが被加熱物の存在を検出しないときには、対応するバーナ１Ａ〜１Ｃを消火する後制御処理を実行するように構成されている。
【００７３】
以下、点火処理、消火処理、火力の調節を行う加熱量変更処理、火力制限処理、高温強制停止処理、自動運転処理、及び、火力増加制限処理について説明を加える。
【００７４】
点火処理は、操作具６Ａ〜６Ｃの点火指令に基づいて、バーナ１Ａ〜１Ｃに対して点火用流量にてガス燃料を供給すべく、コンロ用流量調節弁１９Ａ〜１９Ｃを操作したのち、バーナ１Ａ〜１Ｃに対する点火プラグＰを作動させ且つ着火センサＦにて着火を検出する処理である。
尚、運転制御部Ｈは、点火処理を行うときに、元ガス弁１８が閉じているときには、この元ガス弁１８を開き操作することになる。
【００７５】
消火処理は、操作具６Ａ〜６Ｃの消火指令に基づいて、バーナ１Ａ〜１Ｃに対するガス燃料の供給を停止すべく、コンロ用流量調節弁１９Ａ〜１９Ｃを操作する処理である。
また、この消火処理は、設定された調理メニューが終了した際にも実行されることになる。
尚、運転制御部Ｈは、消火処理を行うときに、３つのバーナ１Ａ〜１Ｃ及びグリルバーナ２の全てが消火される状態になるときには、元ガス弁１８を閉じ操作する。
【００７６】
加熱量変更処理は、火力を増加側に変化させる火力上昇処理、及び、火力を減少側に変化させる火力下降処理を実行する処理である。
つまり、手動運転処理においては、バーナ１Ａ〜１Ｃの火力が操作具６Ａ〜６Ｃにて設定される手動設定火力になるように、ステッピングモータ２１Ａ〜２１Ｃを作動させてコンロ用流量調節弁１９Ａ〜１９Ｃを操作することになる。
また、自動運転処理においては、設定された調理メニューの夫々に対応する条件に従って、ステッピングモータ２１Ａ〜２１Ｃを作動させてコンロ用流量調節弁１９Ａ〜１９Ｃを操作することになる。
【００７７】
ちなみに、運転制御部Ｈは、手動運転処理において、操作具６Ａ〜６Ｃにて指令される５段階の手動設定火力に調整する際には、コンロ用流量調節弁１９Ａ〜１９Ｃを、予め設定された５段階の火力に対応する状態に操作することになる。
また、運転制御部Ｈは、自動運転処理において、コンロ用設定操作部Ｄの設定情報や被加熱物検出センサＳの検出情報等に基づいて火力を調整する際には、予め設定された３段階の火力（大火力、中火力、小火力）に調整することになり、そして、その３段階の火力に調整する際には、コンロ用流量調節弁１９Ａ〜１９Ｃを、予め設定された３段階の火力に対応する状態に操作することになる。
尚、本実施形態においては、３段階の火力の小火力は、５段階の手動設定火力の１段階目の火力に相当し、３段階の火力の中火力は、５段階の手動設定火力の３段階目の火力に相当し、３段階の火力の大火力は、５段階の手動設定火力の５段階目の火力に相当するように設定してある。
【００７８】
高温強制停止処理は、バーナ１Ａ〜１Ｃの燃焼中において、被加熱物が高温になって被加熱物検出センサＳの温度検知部Ｓ３が加熱停止温度を検出すると、バーナ１Ａ〜１Ｃに対するガス燃料の供給を停止すべく、コンロ用流量調節弁１９Ａ〜１９Ｃを操作する処理である。
加熱停止温度は、調理物判定処理にて油物類が判定されたときや、後述の如くコンロ用設定操作部Ｄにて揚げもの運転が指令されたときには、例えば２８０℃が設定され、調理物判定処理にて煮物類が判定されたときには、調理物の焦げ付きを回避する温度が適宜設定されることになる。
【００７９】
火力制限処理は、バーナ１Ａ〜１Ｃの燃焼中において、被加熱物が高温になって被加熱物検出センサＳの温度検知部Ｓ３が加熱抑制温度を検出すると、バーナ１Ａ〜１Ｃの火力を最小火力にすべく、コンロ用流量調節弁１９Ａ〜１９Ｃを操作する処理である。
加熱抑制温度は、調理物判定処理にて油物類が判定されたときや、後述の如くコンロ用設定操作部Ｄにて揚げもの運転が指令されたときには、例えば２６０℃が設定され、調理物判定処理にて煮物類が判定されたときには、調理物の焦げ付きを回避する温度が適宜設定されることになる。
【００８０】
自動運転処理は、コンロ用設定操作部Ｄの設定情報や被加熱物検出センサＳの検出情報等に基づいて、コンロ用流量調節弁１９Ａ〜１９Ｃを操作して、バーナ１Ａ〜１Ｃに対するガス燃料供給量の調節やバーナ１Ａ〜１Ｃへの燃料供給を停止する処理である。
【００８１】
運転制御部Ｈが実行する自動運転処理としては、変更設定された消火用設定時間が経過すると自動的に消火するタイマー運転処理、被加熱物検出センサＳにて検出される温度が変更設定される設定目標温度ｔＳになるように火力を調整する揚げもの運転処理、被加熱物検出センサＳにて検出される温度が沸騰を検出すると消火する湯わかし運転処理、及び、運転開始からの時間経過に伴って火力を設定パターンにて変更させる炊飯運転処理等がある。
【００８２】
すなわち、コンロ用設定操作部Ｄには、図５に示す如く、上述したタイマー運転処理を行うために、バーナ１Ａ〜１Ｃに対する消火用設定時間を入力するためのタイマー入力部Ｄ１、自動調理用バーナとしての高火力バーナ１Ａに対する調理入力部Ｄ２、及び、自動調理用バーナとしての標準バーナ１Ｂに対する調理入力部Ｄ３が設けられている。
【００８３】
高火力バーナ１Ａに対する調理入力部Ｄ２と、標準バーナ１Ｂに対する調理入力部Ｄ３とは同様に構成されるものであって、標準バーナ１Ｂに対する調理入力部Ｄ３を代表として説明すると、この調理入力部Ｄ３は、自動調理用のメニューとして、揚げもの、炊飯、湯わかしの調理メニューを設定するように構成されている。
【００８４】
つまり、調理入力部Ｄ３には、調理メニュー選択するスイッチとして、揚げものを指令する揚げものスイッチ３６Ａ、炊飯を指令する炊飯スイッチ３６Ｂ、及び、湯わかしを指令する湯わかしスイッチ３６Ｃが設けられ、さらに、設定を取り消すためのとりけしスイッチ３６Ｄが設けられている。
【００８５】
揚げものスイッチ３６Ａは、押し操作されるごとに、２００℃、１８０℃、１６０℃といった複数種の設定目標温度ｔＳを順次選択して設定できるように構成され、そして、調理入力部Ｄ３には、設定された温度の揚げもの調理を点灯により表示する温度表示部３７Ａ、３７Ｂ、３７Ｃが設けられている。
【００８６】
炊飯スイッチ３６Ｂは、押し操作されるごとに、ごはんの処理とおかゆの処理との異なる炊飯調理を選択して設定できるように構成され、設定された炊飯調理がごはんの処理であることを点灯により表示するごはん表示部３８Ａと、設定された炊飯調理がおかゆの処理であることを点灯により表示するおかゆ表示部３８Ｂとが、調理入力部Ｄ３に設けられている。
【００８７】
湯わかしスイッチ３６Ｃは、押し操作されるごとに、自動消火モードと５分保温モードとを選択して設定できるように構成され、そして、設定されたモードが自動消火モードであることを点灯にて表示する自動消火表示部３９Ａと、設定されたモードが５分保温モードであることを点灯にて表示する５分保温表示部３９Ｂとが、調理入力部Ｄ３に設けられている。
自動消火モードは、沸騰検出するまでは大火力で加熱した後、沸騰検出後に直ちに消火するモードであり、５分保温モードは、沸騰検出するまでは大火力で加熱した後、沸騰検出後に小火力に減少させ、その後５分間加熱した後に消火するモードである。
【００８８】
したがって、運転制御部Ｈは、調理入力部Ｄ２、Ｄ３にて揚げもの運転、炊飯運転、及び、湯沸し運転が設定されると、操作具６Ａ、６Ｂの点火指令により、高火力バーナ１Ａ又は標準バーナ１Ｂを点火して燃焼させた状態において、調理入力部Ｄ２、Ｄ３の設定情報に基づいて、揚げもの運転処理、炊飯運転処理、及び、湯わかし運転処理を行うことになり、そして、揚げもの運転処理、炊飯運転処理、及び、湯わかし運転処理を行うときには、高火力バーナ１Ａや標準バーナ１Ｂの火力を調整すべく、コンロ用流量調節弁１９Ａ、１９Ｂを操作する処理を行うことになる。
【００８９】
揚げもの運転処理について説明を加えると、運転制御部Ｈは、高火力バーナ１Ａ又は標準バーナ１Ｂを点火した後は、被加熱物検出センサＳにて検出される温度が設定された設定目標温度ｔＳよりも５℃高い温度になるまで、大火力となるようにコンロ用流量調節弁１９Ａ又は１９Ｂを操作し、そして、被加熱物検出センサＳにて検出される温度が設定目標温度ｔＳよりも５℃高い温度になると、火力を一旦中火力に減少させるようにコンロ用流量調節弁１９Ａ又は１９Ｂを操作し、その後設定時間が経過すると、火力を小火力に減少させるようにコンロ用流量調節弁１９Ａ又は１９Ｂを操作する処理を実行する。
【００９０】
また、運転制御部Ｈは、小火力に調整した後において、被加熱物検出センサＳにて検出される温度が設定目標温度ｔＳよりも５℃低い温度になると、火力を中火力に一旦増加させるようにコンロ用流量調節弁１９Ａ又は１９Ｂを操作し、その後設定時間が経過すると、火力を大火力に増加させるようにコンロ用流量調節弁１９Ａ又は１９Ｂを操作する処理を実行する。
したがって、揚げもの運転処理においては、火力を小火力にすることと、火力を大火力にすることとを繰り返すことによって、設定目標温度ｔＳに近い温度を維持するように構成されている。
【００９１】
なお、揚げもの運転処理において、大火力から小火力に調整するにあたり、一旦中火力に調整し、また、小火力から大火力に調整するにあたり、一旦中火力に調整するのは、バーナ１Ａ、１Ｂに供給するガス量を急激に大きく変化させないようにして、不完全燃焼や火炎の吹き飛びの発生を回避するためである。
【００９２】
炊飯運転処理について、ごはんの処理を例として説明を加えると、運転制御部Ｈは、バーナ１Ａ、１Ｂを点火した後は、温度検知部Ｓ３にて検出される温度がごはん用設定温度になるまで、小火力となるようにコンロ用流量調節弁１９Ａ、１９Ｂを操作し、そして、温度検知部Ｓ３にて検出される温度がごはん用設定温度になると、中火力にするようにコンロ用流量調節弁１９Ａ、１９Ｂを操作し、その後、ごはん用第１設定時間が経過すると、小火力にするようにコンロ用流量調節弁１９Ａ、１９Ｂを操作し、その後、ごはん用第２設定時間が経過すると、バーナ１Ａ、１Ｂを消火する消火処理を実行する。
尚、おかゆの処理の場合においては、ごはん用設定温度、並びに、ごはん用第１設定時間及びごはん用第２設定時間に対応する、おかゆ用設定温度、並びに、おかゆ用第１設定時間及びおかゆ用第２設定時間が設定されて、ごはんの処理と同様の処理が実行されることになる。
【００９３】
火力増加制限処理は、自動運転処理のうちの揚げもの運転処理と炊飯運転処理とを自動調理として、この自動調理を実行しているときに、特定位置バーナとしての小火力バーナ１Ｃに対して装備された被加熱物検出手段としての非加熱物検出センサＳの検出状態が変化すると、特定関係バーナとしての高火力バーナ１Ａ及び標準バーナ１Ｂの火力を増加側に変化させることを設定制限条件に制限する処理であり、この処理は、設定解除条件が満たされるまで実行されることになる。
【００９４】
非加熱物検出センサＳの検出状態が変化するとは、被加熱物を検出する状態から被加熱物を検出しない状態への変化、及び、被加熱物を検出しない状態から被加熱物を検出する状態への変化である。
【００９５】
そして、本実施形態においては、設定制限条件が、特定関係バーナとしての高火力バーナ１Ａ及び標準バーナ１Ｂの火力を増加させることを禁止する条件に設定され、また、設定解除条件が、特定位置バーナとしての小火力バーナ１Ｃに対して装備された被加熱物検出センサＳの検出状態が変化してから、設定制限時間（例えば、５秒）経過すると解除する条件に設定されている。
したがって、運転制御部Ｈは、火力増加制限処理として、自動調理を実行しているときに、小火力バーナ１Ｃに対して装備された被加熱物検出センサＳの検出状態が変化すると、高火力バーナ１Ａ及び標準バーナ１Ｂの火力を増加側に変化させる火力上昇処理を実行しないように構成され、そして、設定制限時間（例えば、５秒）が経過すると、設定解除条件が満たされたとして、火力増加制限処理を終了するように構成されている。
【００９６】
また、運転制御部Ｈは、高火力バーナ１Ａに対する高火力用操作具６Ａ及び標準バーナ１Ｂに対する標準用操作具６Ｂの設定情報に基づいて火力を増加させることについては、火力増加制限処理を実行しないように構成されている。
【００９７】
つまり、本実施形態は、上述の通り、特定関係バーナが、自動調理用のバーナとしての高火力バーナ１Ａ及び標準バーナ１Ｂである場合を例示するものである。
そして、運転制御部Ｈが、自動調理設定手段としての、揚げもの運転処理を指令する揚げものスイッチ２６Ａ、３６Ａ、及び、炊飯運転処理を指令する炊飯スイッチ２６Ｂ、３６Ｂの設定情報に基づいて自動調理を実行しているときに、火力を増加させることについては火力増加制限処理を実行し、手動操作式の加熱状態設定手段としての、高火力バーナ１Ａに対する高火力用操作具６Ａ及び標準バーナ１Ｂに対する標準用操作具６Ｂの設定情報に基づいて火力を増加させることについては、火力増加制限処理を実行しない形態を例示するものである。
【００９８】
さらに、運転制御部Ｈは、上述の各処理に加えて、次に述べる火力減少処理を実行するように構成されている。
すなわち、運転制御部Ｈは、火力減少処理として、小火力バーナ１Ｃに対して装備された非加熱物検出センサＳの検出状態が変化したときに、高火力バーナ１Ａ及び標準バーナ１Ｂの火力が設定許容火力よりも大きいときには、その火力を設定小火力に減少させる処理を実行するように構成されている。
そして、運転制御部Ｈは、上述した火力増加制限処理の設定解除条件と同様に、設定制限時間（例えば、５秒）が経過すると、火力を元の火力に戻すように構成されている。
【００９９】
説明を加えると、本実施形態では、自動運転処理における設定許容火力として、中火力を設定し、かつ、設定小火力として、中火力を設定するものであり、自動運転処理を大火力にて実行しているときに、小火力バーナ１Ｃに対して装備された非加熱物検出センサＳの検出状態が変化すると、大火力が中火力に変更されることになり、そして、設定制限時間（例えば、５秒）が経過すると、火力が元の大火力に戻されることになる。
【０１００】
また、本実施形態では、手動運転処理における設定許容火力として、５段階の火力のうちの３段階目の火力を設定し、かつ、設定小火力として、５段階の火力のうちの３段階目の火力を設定するものであり、手動運転処理を５段階の火力のうちの４段階目の火力や５段階目の火力にて実行しているときに、小火力バーナ１Ｃに対して装備された非加熱物検出センサＳの検出状態が変化すると、４段階目の火力や５段階目の火力が３段階目の火力に変更され、そして、設定制限時間（例えば、５秒）が経過すると、火力が元の４段階目の火力や５段階目の火力に戻されることになる。
【０１０１】
次に、運転制御部Ｈの制御作動についてフローチャートに基づいて説明する。
運転制御部Ｈは、上述の如く、点火処理、消火処理、加熱量変更処理、火力制限処理、高温強制停止処理、自動運転処理、火力増加制限処理等の種々の処理を実行するものであって、具体的は、これらの処理を、順次繰り返し実行することになるが、以下の説明においては、火力増加制限処理に関係する処理についてのみ説明する。
【０１０２】
本実施形態においては、火力増加制限処理は、火力増加制限を行う必要があるか否かを判別する火力制限判別処理を実行して、その火力制限判別処理にて火力増加制限を行う必要があると判別したときには、加熱量変更処理の火力上昇処理において、高火力バーナ１Ａ及び標準バーナ１Ｂの火力の上昇を禁止する処理を実行する処理として構成されるものであり、以下、火力制限判別処理及び火力上昇処理について説明する。
尚、加熱量変更処理の火力上昇処理において、高火力バーナ１Ａ及び標準バーナ１Ｂの火力の上昇を禁止する処理は、高火力バーナ１Ａ及び標準バーナ１Ｂの夫々について同様に行われるものであるので、以下の説明においては、標準バーナ１Ｂの火力の上昇を禁止する処理を代表にして説明する。
【０１０３】
先ず、図６に基づいて、火力制限判別処理ついて説明する。
最初に、火力増加制限を行う必要があるときには「１」に設定され、火力増加制限を行う必要がないときには「０」に設定される制限フラグが、「１」であるか否かを判別する（＃１）。
制限フラグが「１」でない場合は、小火力バーナ１Ｃに対して装備された被加熱物検出センサＳの検出状態が変化したか否かを判別し（＃２）、被加熱物検出センサＳの検出状態が変化していないと判別し場合には、この火力制限判別処理とは異なる処理に移行する。
【０１０４】
＃１にて、制限フラグが「１」である場合には、設定解除条件を満足しているか否かを判別する（＃３）。
本実施形態においては、設定解除条件として、小火力バーナ１Ｃに対して装備された被加熱物検出センサＳの検出状態が変化してから設定制限時間（例えば、５秒）が経過すると解除する条件が設定されているので、被加熱物検出センサＳの検出状態が変化してからの経過時間が設定制限時間（例えば、５秒）を超えているか否かを判別する。
【０１０５】
＃３にて、被加熱物検出センサＳの検出状態が変化してから設定制限時間（例えば、５秒）が経過していると判別した場合には、制限フラグを、火力増加制限を行う必要がないことを表す「０」に設定し（＃４）、続いて、上昇禁止フラグを、火力の上昇を禁止する必要がないことを表す「０」に設定する（＃５）。
そして、＃３にて、被加熱物検出センサＳの検出状態が変化してから設定制限時間（例えば、５秒）が経過していないと判別した場合や、＃５にて、上昇禁止フラグを「０」に設定する処理を実行した後は、この火力制限判別処理とは異なる処理に移行することになる。
【０１０６】
＃２にて、状態が変化したと判別した場合は、高火力バーナ１Ａ又は標準バーナ１Ｂが燃焼中であるか否かを判別し（＃６）、燃焼中であると判別した場合には、制限フラグを「１」に設定し（＃７）、続いて、上昇禁止フラグを、火力の上昇を禁止する必要があることを表す「１」を設定する（＃８）。
そして、＃６にて、燃焼中でないと判別した場合や、＃８にて、上昇禁止フラグを「１」を設定する処理を実行した後は、この火力制限判別処理とは異なる処理に移行することになる。
【０１０７】
次に、図７に基づいて、火力上昇処理について説明する。
最初に、火力を上昇する必要があるか否かを判別する（＃１１）。
つまり、手動運転処理において火力の上昇が指令された場合や、自動調理（揚げもの運転処理、炊飯運転処理）において火力の上昇を行う場合には、火力の上昇であると判別することになる。
【０１０８】
＃１１にて、火力を上昇する必要がないと判別した場合には、この火力上昇処理とは異なる処理に移行することになる。
＃１１にて、火力を上昇する必要があると判別した場合には、その火力の上昇が手動運転処理において火力の上昇が指令された場合であるか否かを判別する（＃１２）。
【０１０９】
＃１２にて、火力の上昇が手動運転処理において火力の上昇が指令された場合であると判別した場合には、火力を増加側に調節する処理を実行し（＃１４）、その後、この火力上昇処理とは異なる処理に移行することになる。
【０１１０】
＃１２にて、火力の上昇が手動運転処理において火力の上昇が指令された場合でないと判別した場合、つまり、自動調理（揚げもの運転処理、炊飯運転処理）において火力の上昇を行う場合には、上述した火力制限判別処理にて設定される上昇禁止フラグが「１」であるか否かを判別し（＃１３）、上昇禁止フラグが「１」でないときには、＃１４の火力を増加側に調節する処理に移行する。
【０１１１】
そして、＃１３にて、上昇禁止フラグが「１」であると判別したときには、自動調理（揚げもの運転処理、炊飯運転処理）における火力の上昇が禁止されているため、＃１４の火力を増加側に調節する処理に移行することなく、この火力上昇処理とは異なる処理に移行することになる。
【０１１２】
尚、図７のフローチャートは、上述の如く、標準火力バーナ１Ｂと高火力バーナ１Ａとのうちの、標準火力バーナ１Ｂを代表として例示するものであるが、高火力バーナ１Ａについての火力上昇処理は、図７のフローチャートと同様である。
【０１１３】
〔別実施形態〕
次に別実施形態を説明する。
（イ）上記実施形態においては、手前側に設けられる高火力バーナ１Ａ及び標準バーナ１Ｂと、奥側に設けられる小火力バーナ１Ｃとの３つのバーナを備えるコンロにおいて、小火力バーナ１Ｃを特定位置バーナとし、高火力バーナ１Ａ及び標準バーナ１Ｂを特定関係バーナとする場合を例示したが、このような構成に限定されるものではなく、例えば、特定位置バーナとしての小火力バーナ１Ｃに対して、高火力バーナ１Ａ及び標準バーナ１Ｂを特定関係バーナとすることに加えて、手前側に設けられる高火力バーナ１Ａ又は標準バーナ１Ｂのうちの一方を特定位置バーナとし、他方を特定関係バーナとするようにしてもよく、また、高火力バーナ１Ａ、標準バーナ１Ｂ、及び小火力バーナ１Ｃの全てのバーナを特定位置バーナとし、そして、全てのバーナを特定関係バーナとする形態で実施してもよい。
【０１１４】
（ロ）上記実施形態では、３つのバーナを備えるコンロを例示したが、２つのバーナが左右に並ぶコンロ、２つのバーナが対角線状に並ぶコンロ、及び、４つのバーナが手前側と奥側に２つずつ左右に並ぶコンロにおいても、本発明は適用できるものである。
【０１１５】
すなわち、２つのバーナが左右に並ぶコンロの場合においては、左右の一方のバーナを特定位置バーナとし、他方のバーナを特定関係バーナとするように構成することや、左右のバーナの双方が特定位置バーナであり且つ特定関係バーナであるように構成することができる。
【０１１６】
また、２つのバーナが対角線状に並ぶコンロの場合においては、奥側のバーナを特定位置バーナとし、手前側のバーナを特定関係バーナとするように構成することや、２つのバーナの双方が特定位置バーナであり且つ特定関係バーナであるように構成することができる。
【０１１７】
さらに、４つのバーナを手前側の２つのバーナと奥側の２つのバーナが並ぶように構成する場合においては、奥側の２つのバーナを特定位置バーナとし手前側の２つのバーナを特定関係バーナとすることや手前側の２つのバーナを特定位置バーナとし奥側の２つのバーナを特定関係バーナとすることができ、さらに、４つのバーナの全てが特定位置バーナであり且つ特定関係バーナであるように構成することもできる。
【０１１８】
（ハ）上記実施形態においては、設定制限条件を、特定関係バーナの火力を増加させることを禁止する条件に設定するように構成したが、そのような構成に代えて、火力を増加させることを事前にブザー等で報知した後、特定関係バーナの火力を漸増させる条件とするように構成することや、特定関係バーナの火力を設定許容火力以上に増加させない条件とするように構成することが可能である。
【０１１９】
設定制限条件を、火力を増加させることを事前にブザー等で報知した後、特定関係バーナの火力を漸増させる条件とする場合においては、上述した図７のフローチャートにおける＃１４の処理において、火力を増加側に調節する処理を行う前に、ブザーを鳴動させる処理を行うことになる。
【０１２０】
また、設定制限条件を、特定関係バーナの火力を設定許容火力以上に増加させない条件とする場合においては、図７のフローチャートにおける＃１４の処理において、火力を増加側に調節する処理が、火力を設定された設定許容火力以上に増加させない条件で行われることになる。
【０１２１】
（ニ）上記実施形態においては、設定解除条件を、特定関係バーナに対して装備された被加熱物検出手段の検出状態が変化してから、設定制限時間が経過すると解除する条件とするように構成したが、このような構成に限定されるものではなく、設定解除条件として種々の条件を適用することができる。
【０１２２】
例えば、設定解除条件を、特定関係バーナに対する加熱状態設定手段及び自動調理設定手段のいずれかが操作されると解除する条件とするように構成することが考えられる。
すなわち、特定関係バーナに対する加熱状態設定手段及び自動調理設定手段のいずれかが操作されると、火力増加制限処理が終了されることになるが、特定関係バーナに対する加熱状態設定手段及び自動調理設定手段のいずれかが操作される状態とは、使用者が既に特定位置バーナに対して被加熱物を載置するあるいは被加熱物をおろすことを終了して、
特定関係バーナに対する加熱状態設定手段又は自動調理設定手段を操作する状態であるから、特定関係バーナに対する加熱状態設定手段及び自動調理設定手段のいずれかが操作されると設定解除条件が満たされたと判別して火力増加制限処理の実行を終了しても、安全性は確保されるものとみなすことができる。
【０１２３】
また、他の設定解除条件として、特定位置バーナに対する加熱状態設定手段が操作されると解除する条件とするように構成することも考えられる。
すなわち、特定位置バーナに対する加熱状態設定手段が操作されると、火力増加制限処理が終了されることになるが、特定位置バーナに対する加熱状態設定手段が操作される状態とは、使用者が既に特定位置バーナに対して被加熱物を載置するあるいは被加熱物をおろすことを終了して、特定位置バーナに対する加熱状態設定手段を操作する状態であるから、特定位置バーナに対する加熱状態設定手段が操作されると設定解除条件が満たされたと判別して火力増加制限処理の実行を終了しても、安全性は確保されるものとみなすことができる。
【０１２４】
さらに、設定解除条件として、上記実施形態で述べた設定制限時間が経過すると解除する条件、上述の特定関係バーナに対する加熱状態設定手段及び自動調理設定手段のいずれかが操作されると解除する条件、及び、上述の特定位置バーナに対する加熱状態設定手段が操作されると解除する条件のうちのいずれか一つの条件が満たされると解除する条件としてもよい。
【０１２５】
（ホ）上記実施形態においては、設定解除条件を、特定位置バーナに対して装備された被加熱物検出手段の検出状態が変化してから、設定制限時間が経過すると解除する条件とする場合において、設定制限時間として、５秒を例示したが、設定制限時間は、使用者が特定位置バーナに対して被加熱物を載置するあるいは被加熱物をおろすことを終了までに要する時間を見込んで設定すればよく、５秒とは異なる時間に設定してもよい。
【０１２６】
（ヘ）上記実施形態においては、自動運転処理における自動調理（揚げもの運転処理、炊飯運転処理）を実行するときに、特定位置バーナに対して装備された被加熱物検出手段の検出状態が変化すると、火力増加制限処理を実行する場合を例示したが、これに加えて、加熱状態設定手段の指令によって火力が増加されることについても、設定制限条件に制限する形態で火力増加制限処理を実行するようにしてもよい。
【０１２７】
すなわち、使用者が特定位置バーナに対して被加熱物を載置するあるいは被加熱物をおろす作業を行っているときには、一般には、その使用者が加熱状態設定手段を操作することはないものであるが、例えば、特定位置バーナに対して被加熱物を載置するあるいは被加熱物をおろす作業を行っている使用者の腹部等が加熱状態設定手段に不測に接触して、加熱状態設定手段を不必要に操作してしまう虞や、使用者が特定位置バーナに対して被加熱物を載置するあるいは被加熱物をおろす作業を行っているときに、子供等の第三者が誤って加熱状態設定手段を操作する虞があり、このような予想外の操作により特定関係バーナの火力を不測に上昇してしまうことが考えられる。
【０１２８】
したがって、特定位置バーナに対して装備された被加熱物検出手段の検出状態が変化すると、加熱状態設定手段の指令によって火力が増加されることを設定制限条件に制限するように火力増加制限処理を実行することによって、使用者が特定位置バーナに対して被加熱物を載置するあるいは被加熱物をおろす作業を行っているときに、上述の如く、加熱状態設定手段が予想外に操作されるようなことがあっても、特定関係バーナの火力の増加が制限されるものとなり、安全性を一層向上できるものとなる。
【符号の説明】
【０１２９】
１Ａ、１Ｂ、１Ｃ  バーナ
６Ａ、６Ｂ、６Ｃ  加熱状態設定手段
２６Ａ、２６Ｂ    自動調理設定手段
３６Ａ、３６Ｂ    自動調理設定手段
Ｈ                運転制御手段
Ｓ                被加熱物検出手段
【図１】
0005563900.tif 000002
【図２】
0005563900.tif 000003
【図３】
0005563900.tif 000004
【図４】
0005563900.tif 000005
【図５】
0005563900.tif 000006
【図６】
0005563900.tif 000007
【図７】
0005563900.tif 000008